(57)【特許請求の範囲】
【請求項１】
透光性の合成樹脂製で、少なくとも片面に光拡散パターンが設けられた振動板と、
該振動板の背後に環状に配置された複数の多色ＬＥＤと
を備え、
後壁の前面に、ボイスコイルを支持するダンパの外周に沿った環状のプリント基板が取り付けられ、前記プリント基板に複数の多色ＬＥＤが等間隔で実装されることによって、複数の多色ＬＥＤがダンパの外周に沿って配置されていることを特徴とするスピーカ。
【請求項２】
前記光拡散パターンは前記振動板の片面だけに設けられていることを特徴とする請求項１記載のスピーカ。
【請求項３】
前記光拡散パターンは前記振動板の両面に設けられていることを特徴とする請求項１記載のスピーカ。
【発明の詳細な説明】
【技術分野】
【０００１】
本発明は、スピーカの技術分野に属する。
【背景技術】
【０００２】
スピーカに発光体を装着して電飾効果を得る技術がある。例えば特開２００１−９５０７４号公報には、光源から発せられる光を振動板の中心部に装着したセンターキャップに照射して、その内面に設けられた梨地等によって拡散させるスピーカが開示されている。
【特許文献１】特開２００１−１９７５７９号公報
【発明の開示】
【発明が解決しようとする課題】
【０００３】
しかしながら、 特許文献１に記載のスピーカは中心部しか光らないので視覚的な効果は限定的であった。
【課題を解決するための手段】
【０００４】
請求項１に記載のスピーカは、透光性の合成樹脂製で、少なくとも片面に光拡散パターンが設けられた振動板と、該振動板の背後に環状に配置された発光素子とを備えたことを特徴とする。
【０００５】
このスピーカでは、発光素子は振動板の背後に環状に配列されており、それら発光素子から発せられた光は振動板に設けられた光拡散パターンによって拡散させられて放射される。従って、振動板のほぼ全域を発光による装飾効果のために利用できる。
【０００６】
発光素子から出た光が振動板を透過する際に拡散されるので、発光素子すなわち光源の数が少なくても振動板の全面を光らせることができる。
振動板は透光性の合成樹脂、例えばポリカーボネート、ポリエチレン、アクリル、ＰＥＴ等のシートを使用すればよい。透光性とは、透明であってもよいし半透明であってもよい。透明であれば振動板が明るく発光し、半透明であれば柔らかな発光になる。また、透光性の合成樹脂が染料や顔料で着色されていてもよい。
【０００７】
発光素子としては、ＬＥＤ、無機ＥＬ、有機ＥＬ等を使用できる。多色ＬＥＤ等を用いて発光色を変化させたり、複数の発光素子を順次点灯、消灯させる等の演出も可能である。
【０００８】
発光素子の配置は、環状になっていればよく、その間隔は特に制限されない。また、環状に形成したＥＬを用いてもよい。
発光素子の取り付け位置は、振動板の背後でありさえすればよいのであるが、請求項２に記載のボイスコイルを支持するダンパの外周に沿って配置されるのが好ましい。より具体的には、スピーカのフレームには、ダンパの外縁を固定するために環状の平坦部が設けられており、ダンパの外側に適宜のスペースができるので、この部分に発光素子を配置すればよい。
【０００９】
光拡散パターンは、微小な凸又は凹によって設けることができる。例えば直線的な凸条を多数、平行に配置したパターン、直線的な凸条を多数、格子状に配置したパターン、この格子状のパターンに更に対角線方向の凸条を加えたパターン、円、楕円、多角形（三角形、四角形、六角形など）、その他の図形（星形、ダイヤ等）をそれぞれ同心円状に配置して構成される基本パターンを繰り返すパターン等を例示することができる。同様のパターンを凹条で形成してもよい。また、ここに例示した以外のパターンであってもよい。
【００１０】
凸条又は凹条によって光拡散パターンを形成する場合、線密度（凸条又は凹条の幅方向に沿った単位長さ当たりの本数）を１本／１ｍｍ以上（１ｍｍピッチ以下）にするのが好ましい。例えば２本／１ｍｍ（０．５ｍｍピッチ）、４本／１ｍｍ（０．２５ｍｍピッチ）、８本／１ｍｍ以上（０．１２５ｍｍピッチ）、１０本／１ｍｍ（０．１ｍｍピッチ）等にもできるし、さらに線密度を高くしてもよい。
【００１１】
このような光拡散パターンは、透光性の合成樹脂製シートにプレス加工して設けることができる。
光拡散パターンは、請求項３記載のように振動板の片面だけに設けられてもよいし、請求項４記載のように振動板の両面に設けられてもよい。良好な音響効果を期待するなら片面だけに設ければよいし、両面に設ければ光学的な特性が向上する。
【００１２】
光拡散パターンを振動板の両面に設ける場合、光拡散パターンを両面で同じにしてもよいが、それぞれのパターンを異ならせると拡散の態様が変化に富んだものになる。
【発明を実施するための最良の形態】
【００１３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例のスピーカ１は、骨格となるフレーム３にて各部を支持する構成である。また、フレーム３の前端部は正方形のフランジ４とされており、フランジ４に設けられた穴５を使用してスピーカ１を固定できる。本実施例のスピーカ１は例えば遊技機の前枠等に取り付けて使用されるが、用途はこれに限るわけではなく、汎用できる。
【００１４】
フレーム３の後壁７は壁孔９を有する円盤状であり、その背面７ａにはマグネット１０が取り付けられている。マグネット１０の中心孔１１は壁孔９と同軸で、図示するとおり一連になっている。
【００１５】
その壁孔９及び中心孔１１を貫通してボビン１３が配されている。ボビン１３の外周には、マグネット１０の中心孔１１と対面状にボイスコイル１２が巻回されている。
また、ボビン１３の外周にはダンパ１４の内周部が連結され、ダンパ１４の外周部は後壁７の前面７ｂに固定されている。すなわち、ボビン１３はダンパ１４を介してフレーム３（後壁７）に支持されており、壁孔９及び中心孔１１と同軸、且つこれらとは非接触で、その軸方向に変位可能である。
【００１６】
また、後壁７の前面７ｂには、ダンパ１４の外周に沿った環状のプリント基板１５が取り付けられている。このプリント基板１５には、複数（本実施例では１２個）の多色ＬＥＤ１７が等間隔で実装されている。
【００１７】
ボビン１３の前端には振動板１８の後端部が連結されている。振動板１８は、エッジ１９の外周部がリング２１にてフレーム３に固定されている。また、振動板１８の内側には、ボビン１３の開口を覆うためのセンターキャップ２２が取り付けられている。
【００１８】
こうした構造であるから、ボイスコイル１２に信号電流を流せば、ボイスコイル１２が巻かれたボビン１３を介して振動板１８を振動させて、音声を発生させることができる。
ところで、この振動板１８は、透光性の合成樹脂、例えばポリカーボネート、ポリエチレン、アクリル、ＰＥＴ等のシートをコーン形状に成形したものであるが、その片面または両面には、図２〜４に例示するような光拡散パターンが設けられている。
【００１９】
図２に示す光拡散パターンは、直線状の凸条を縦、横、斜めの格子状に配置した構造、図３に示す光拡散パターンは、直線状の凸条を平行に配置した構造、図４に示す光拡散パターンは、凸条を大小の同心円状に配置した基本パターンを繰り返す構造である。また、図５に示すのは、光拡散パターンを構成する凸条の断面形状の例であり、三角形（ａ、ｂ）、台形（ｃ、ｄ）、円弧（ｅ）等にできる。
【００２０】
このため、多色ＬＥＤ１７を点灯すると、それらから発せられた光は振動板１８に設けられた光拡散パターンによって拡散させられて放射される。従って、振動板１８のほぼ全域を発光による装飾効果のために利用できる。
【００２１】
また、振動板１８は光拡散パターンが設けられたシートをコーン形状に成形したものであるから、その成形に伴って光拡散パターンにひずみが生じている。このひずみがあるために、例えば振動板１８の中心部（ボビン１３側）と外周部（エッジ１９側）とで輝度が変化する等、光拡散パターンが設けられた平坦なシートに光を照射したときに比べて、拡散のパターンが変化に富んだものになっている。
【００２２】
多色ＬＥＤ１７から出た光が振動板１８を透過する際に拡散されるので、振動板１８の発光面積に対して多色ＬＥＤ１７の数が少なくても、振動板１８の全面を光らせることができる。
【００２３】
また、環状に配置された多色ＬＥＤ１７を順次、循環的に発光させたり、変色させたりする等によって、拡散の効果を変化させ幅広い光演出が可能である。
多色ＬＥＤ１７が、ボイスコイル１２を支持するダンパ１４の外周に沿って配置されているが、後壁７の前面７ｂ内でプリント基板が占める部分（ダンパ１４の外側になる部分）は従来のスピーカにおいては使用されていなかった部分であるから、多色ＬＥＤ１７（プリント基板１５）をスピーカ１に装備するために新規なスペースを創出する必要がなく、スピーカ１は大型化しない。
【図面の簡単な説明】
【００２４】
【図１】実施例のスピーカの正面図（ａ）、縦断面図（ｂ）、側面図（ｃ）及び背面図（ｄ）。
【図２】実施例のスピーカにおいて、振動板に設けられる光拡散パターンの例示図（１）。
【図３】実施例のスピーカにおいて、振動板に設けられる光拡散パターンの例示図（２）。
【図４】実施例のスピーカにおいて、振動板に設けられる光拡散パターンの例示図（３）。
【図５】振動板に設けられる光拡散パターンを構成する凸条の形状例示図。
【符号の説明】
【００２５】
１・・・スピーカ、
３・・・フレーム、
７・・・後壁、
１０・・・マグネット、
１２・・・ボイスコイル、
１３・・・ボビン、
１４・・・ダンパ、
１５・・・プリント基板、
１８・・・振動板、
２２・・・センターキャップ、
１７・・・多色ＬＥＤ（発光素子）。
【図１】
0004819544.tif 000002
【図２】
0004819544.tif 000003
【図３】
0004819544.tif 000004
【図４】
0004819544.tif 000005
【図５】
0004819544.tif 000006